(57)【要約】  【課題】床面の掃除効率を向上できる床ブラシを提供する。  【解決手段】床面に対向してケース体11に回転ブラシ13を回転可能に設ける。回転ブラシ13のブラシ台14の外周面に、先端部の折り返し部26により収容部25を形成した布ブレード24を径方向に突出させる。水、あるいはワックスを保持した保湿部材27を収容部25に収容する。解れを防止する布ブレード24の折り返し部26を有効に利用して保湿部材27で掃除を補助でき、簡単な構成で掃除性を向上できる。  【選択図】図１
2005066033.tif 000002
【特許請求の範囲】
【請求項１】
ケース体と、
被掃除面に対向して前記ケース体に回転可能に設けられた回転清掃体とを具備し、
前記回転清掃体は、
軸状の取付部材と、
この取付部材の外周面に径方向に沿って突設され、先端部が折り返されて収容部が形成された布製の清掃部材と、
この清掃部材の前記収容部に収容された清掃補助部材とを備えている
ことを特徴とした電気掃除機の吸込口体。
【請求項２】
清掃部材は、先端部が回転清掃体の回転方向の前側に折り返されている
ことを特徴とした請求項１記載の電気掃除機の吸込口体。
【発明の詳細な説明】
【技術分野】
【０００１】
本発明は、被掃除面に対向してケース体に回転可能に設けられた回転清掃体を備えた電気掃除機の吸込口体に関する。
【背景技術】
【０００２】
従来、この種の電気掃除機の吸込口体は、横長のケース体を備えている。このケース体の被掃除面としての床面に対向する下面には、横長の吸込口が開口形成されている。この吸込口内には、回転清掃体としての回転ブラシが回転可能に軸支されている。この回転ブラシは、細長円柱状の取付部材としての軸部材であるブラシ台を備えている。このブラシ台の外周面には、可撓性を有する床磨き用の布製の清掃部材が径方向に壁状に突出して取り付けられている。この清掃部材は、先端部を折り返して密着させ、台座部を介してブラシ台に取り付けられている（例えば、特許文献１参照。）。
【特許文献１】特開平１０−７１１１１号公報（第２−５頁、図１）
【発明の開示】
【発明が解決しようとする課題】
【０００３】
上述の電気掃除機の吸込口体では、清掃部材を、先端部を折り返して密着させて構成しているため、掃除の際の布の解れは防止できるものの、折り返した先端部は掃除に生かされておらず、この点での改善が望まれている。
【０００４】
本発明は、このような点に鑑みなされたもので、掃除性を向上できる電気掃除機の吸込口体を提供することを目的とする。
【課題を解決するための手段】
【０００５】
本発明は、被掃除面に対向してケース体に回転可能に設けられた回転清掃体が、軸状の取付部材の外周面に径方向に沿って突設され、先端部が折り返されて収容部が形成された布製の清掃部材と、収容部に収容された清掃補助部材とを備えているものである。そして、軸状の取付部材の外周面に径方向に沿って突設した布製の清掃部材の先端部の折り返しにより形成した収容部に清掃補助部材を収容するので、清掃部材の解れを防止する折り返しを有効に利用して、簡単な構成で掃除性を向上することが容易に可能になる。
【発明の効果】
【０００６】
本発明によれば、軸状の取付部材の外周面に径方向に沿って突設した布製の清掃部材の先端部の折り返しにより形成した収容部に清掃補助部材を収容するので、清掃部材の解れを防止する折り返しを有効に利用して、簡単な構成で掃除性を容易に向上できる。
【発明を実施するための最良の形態】
【０００７】
以下、本発明の一実施の形態の電気掃除機の構成を図１ないし図５を参照して説明する。
【０００８】
図５において、１は掃除機本体で、この掃除機本体１の内部には、電動送風機２が収容されている。また、この掃除機本体１は、いわゆるキャニスタ型の電気掃除機であり、電動送風機２の駆動にて生じる吸気風とともに吸い込んだ塵埃を捕捉して集塵する。
【０００９】
さらに、この掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手許操作部５が設けられている。
【００１０】
そして、この手許操作部５には、掃除機本体１内の電動送風機２などの駆動状態を所定の状態に設定する複数の設定ボタン６が設けられているとともに、掃除する際に作業者が把持する把持部７が基端側に突設されている。また、この手許操作部５の先端には、伸縮可能な細長略円筒状の延長管８が着脱可能に連通接続されている。さらに、この延長管８の先端には、例えば室内の床面の絨毯などの上に設置させて、この絨毯上の塵埃を吸い込む床ブラシ９が着脱可能に連通接続されている。この床ブラシ９は、電気掃除機の吸込口体である。
【００１１】
また、この床ブラシ９は、図１および図４に示すように、前後方向である走行方向に対して横長で、後部略中央が後方に向けて突出する凸字状のケース体11を備えている。このケース体11における被掃除面としての床面に対向する下面には、細長矩形状の吸込口12が開口形成されている。この吸込口12は、ケース体11の走行方向の前側に偏位した位置に設けられており、このケース体11の走行方向に対する幅方向に沿った長手方向を有した横長矩形状に形成されている。
【００１２】
さらに、このケース体11の吸込口12の内側には、細長略円筒状の回転清掃体としての回転ブラシ13が走行方向後側から前側に向けて回転自在に軸支されて配設されている。この回転ブラシ13は、ケース体11の吸込口12を床面に対向させた際に、この床面に対向するように取り付けられている。そして、この回転ブラシ13は、図２および図３などに示すように、細長略円筒状すなわち軸状の取付部材としての軸部材であるブラシ台14を備えている。
【００１３】
そして、ブラシ台14の外周面には、軸方向に沿って周方向に向けて螺旋状に捻れた断面略凹状の取付溝部としての取付凹部である係合凹部15が複数、例えば４つ設けられ、これら係合凹部15は、ブラシ台14の周方向に向けて一端に対して他端が例えば１８０°捻られて形成されている。
【００１４】
また、これら係合凹部15は、長手方向をブラシ台14の長手方向に沿わせた状態で、ブラシ台14の周方向に間隔をおいて等間隔な位置にそれぞれ設けられている。そして、これら係合凹部15は、内部が周方向に幅広となる拡大部16と、この拡大部16から外周面に連通しこの拡大部16より幅狭な連通部17とにて、段差を設けて断面形状が先端幅狭爪状である凹状に形成されている。ここで、これら係合凹部15の拡大部16は、基端側が断面凹弧状に形成されており、先端側の内縁が基端側に対向した平面状に形成されている。
【００１５】
さらに、これら各係合凹部15には、略細長平板状の床磨部材21の基端側が、周方向に沿って係止されてそれぞれ取り付けられている。したがって、これら床磨部材21は、ブラシ台14の外周面にこのブラシ台14の軸方向に沿って周方向に向けて螺旋状に捻れた状態で取り付けられている。すなわち、床磨部材21は、ブラシ台14とともに周方に向けて螺旋状に捻られた状態で設けられている。そして、床磨部材21は、ブラシ台14の各係合凹部15に基端側が係止された状態で、このブラシ台14の径方向に向けて壁状にそれぞれ突出している。
【００１６】
ここで、床磨部材21は、ブラシ台14の係合凹部15の断面形状に略合致した形状である細長略板状のブラシ取付部23を備えている。このブラシ取付部23は、例えば軟質の塩化ビニルなどの合成樹脂で成形され、ブラシ台14の係合凹部15に対して係脱可能とされている。また、このブラシ取付部23には、取付突出部23aが長手方向全体に亘って突出してブラシ取付部23に一体的に設けられている。この取付突出部23aは、床磨部材21をブラシ台14の各係合凹部15に取り付けた状態で、連通部17から係合凹部15の外部に突出している。
【００１７】
そして、ブラシ取付部23の取付突出部23aの回転ブラシ13の回転方向後側の側面には、可撓性および保湿性を有する布製の清掃部材としての布ブレード24が長手方向に沿って壁状に設けられている。
【００１８】
この布ブレード24は、基端部が取付突出部23a全体に接着などにて取り付けられている。また、この布ブレード24は、先端部に中空の収容部25が形成されるように回転ブラシ13の回転方向の前側に向けてループ状に折り返し形成された折り返し部26を備えている。この折り返し部26は、縫合、あるいは接着などにより布ブレード24自身の先端部近傍に固着部26aにて固着されている。この固着部26aは、ブラシ取付部23の取付突出部23aよりも布ブレード24の先端側に位置している。したがって、布ブレード24は、先端部のみが折り返され、折り返し部26の長さは、ブラシ台14の外周面から折り返し部26の先端部の長さよりも小さく形成されている。
【００１９】
また、収容部25内には、保湿性を有する清掃補助部材としての保湿部材27が収容されている。この保湿部材27は、例えばスポンジ状に形成したウレタンなどであり、水、あるいはワックスなど、床磨部材21による床面の掃除を補助する図示しない液状体を内部に保持可能である。そして、この保湿部材27は、収容部25内全体に亘って収容されている。すなわち、保湿部材27は、布ブレード24の長手方向に連続して設けられている。
【００２０】
さらに、ブラシ台14の両端部には、図示しないシャフトがそれぞれ突設され、これらシャフトには、ブラシ台14の両端部を保持固定する保持部材としての受体である略円筒状の受板41がそれぞれ同軸状に取り付けられている。
【００２１】
そして、これら受板41のブラシ台14に対向する周面部には、ブラシ台14の係合凹部15からの床磨部材21の抜けを防止する円環状の内側鍔部44が同心状に設けられている。
【００２２】
また、この内側鍔部44よりも受板41の先端側の周面部には、円環状の外側鍔部45が同軸状に設けられている。この外側鍔部45の外周面側には、外周面に周方向に向けて等間隔にギア溝46が形成された略円筒状の歯車部47が同心状に設けられている。そして、この歯車部47の先端側の内側には、略円筒状の軸受48が嵌合されている。この軸受48は、シャフトの端部に嵌合されて、このシャフトの端部を回転自在に固定する。これら軸受48は、図４に示すように、床ブラシ９のケース体11の吸込口12の走行方向に対する両側縁のそれぞれに設けられた一対の軸支凹部51にそれぞれ係合されている。この結果、回転ブラシ13が床ブラシ９のケース体11に対して回転自在となっている。
【００２３】
一方、床ブラシ９のケース体11内の一方の軸支凹部51の後側には、図１および図４に示すように、駆動手段としてのモータ61が収容されている。このモータ61の先端部には、このモータ61の駆動により回転する回転軸62が突出している。この回転軸62には、外周面に図示しないギア溝が形成された歯車63が同心状に取り付けられている。この歯車63のギア溝は、受板41の歯車部47のギア溝46に等しい間隔および大きさに形成されている。さらに、この歯車63は、床ブラシ９のケース体11内に取り付けられた回転ブラシ13の一方の受板41の後側に位置し、この受板41の回転方向に一致した回転方向を有している。
【００２４】
そして、この歯車63と回転ブラシ13の一方の受板41の歯車部47との間には、無端状の調帯としてのベルト体64が橋渡すように巻回されている。このベルト体64の内周面には、歯車63のギア溝および歯車部47のギア溝46のそれぞれに係合可能な間隔および大きさである図示しないギア溝が形成されている。したがって、モータ61を駆動させることにより、このモータ61の回転軸62の回転により歯車63が回転し、この歯車63の回転によってベルト体64が回転して回転ブラシ13の一方の受板41が回転し、この回転ブラシ13が周方向に向けて回転駆動される。
【００２５】
次に、上記一実施の形態の床ブラシの組み立て方法を説明する。
【００２６】
まず、予め成形されたブラシ取付部23の取付突出部23aに、布ブレード24の基端部を接着するとともに、この布ブレード24の先端部に保湿部材27を保持した状態で布ブレード24を折り返して布ブレード24に縫合、あるいは接着して、床磨部材21を製造する。なお、保湿部材27には、予め水、あるいはワックスなどを含浸させておいてもよく、あるいは掃除の際に含浸させるようにしてもよい。
【００２７】
次いで、押し出し成形したブラシ台14の各係合凹部15に、床磨部材21のブラシ取付部23を、ブラシ台14の軸方向の一端部から他端部に向けて各係合凹部15内に摺動させて係止すし、床磨部材21をブラシ台14の径方向に向けて螺旋状に突出させる。
【００２８】
さらに、床磨部材21が外周面に取り付けられたブラシ台14の両端部に取り付けたシャフトに受板41を固定し、各受板41から外側へと突出させたシャフトの端部に軸受48を回転可能に嵌合させて取り付けて回転ブラシ13とする。
【００２９】
そして、この回転ブラシ13の各軸受48のそれぞれをケース体11の軸支凹部51のそれぞれに嵌合させて、このケース体11の吸込口12内に回転ブラシ13を回転自在に軸支させて床ブラシ９を完成する。
【００３０】
次に、上記一実施の形態の動作を説明する。
【００３１】
まず、掃除をする際には、掃除機本体１にホース体４および延長管８を介して床ブラシ９を接続する。そして、このホース体４の把持部７を持って押動させて、床ブラシ９を床面上で前後に走行させる。
【００３２】
このとき、掃除機本体１内の電動送風機２の駆動により発生する吸込力によって、床ブラシ９の吸込口12から空気とともに床面上の塵埃が吸い込まれる。
【００３３】
この後、この床ブラシ９の吸込口12から塵埃とともに吸い込まれた空気は、この床ブラシ９から延長管８およびホース体４を順次介して掃除機本体１の本体吸込口３へと吸い込まれた後、この掃除機本体１内に収容させた集塵パックへと吸い込まれて空気とともに吸い込んだ塵埃が捕捉される。
【００３４】
また、床面が板の間すなわちフローリングなどである場合には、ホース体４の手許操作部５の所定の設定ボタン６をオンして、床ブラシ９の回転ブラシ13を回転駆動させると、この回転ブラシ13の床磨部材21の回転により、この床磨部材21の折り返し部26が床面に接触し、この衝撃で収容部25とともに保湿部材27が潰れてこの保湿部材27に保持された水、あるいはワックスなどが収容部25から折り返し部26へと染み出して床面に付着する。
【００３５】
この状態で回転ブラシ13がさらに回転することにより、水、あるいはワックスなどが床面に擦り付けられ、回転ブラシ13により床面が磨き掃除される。
【００３６】
なお、保湿部材27にて保持した水、あるいはワックスなどを使い切った場合には、布ブレード24の折り返し部26を水、あるいはワックスなどに浸すなどして再度補給する。
【００３７】
上述したように、上記一実施の形態では、回転ブラシ13のブラシ台14の外周面に径方向に沿って突出して取り付けた床磨部材21の布製の布ブレード24の先端部を折り返した折り返し部26にて収容部25を形成し、この収容部25に、水、あるいはワックスなどを保持した保湿部材27を収容する構成とした。
【００３８】
このため、回転ブラシ13の回転により布ブレード24を介して保湿部材27が床面に接触して潰れ、この保湿部材27に保持された水、あるいはワックスなどが収容部25から折り返し部26へと染み出して床面に付着し、床磨部材21による床面の磨き掃除を保湿部材27で補助できる。
【００３９】
この結果、布ブレード24の先端部からの解れを防止する折り返し部26を有効に利用して、簡単な構成で掃除性を容易に向上できる。
【００４０】
すなわち、布ブレード24の先端部を折り返し部26とすることで、例えば布ブレードの先端部を折り返さない従来の場合などと比較して、床面に布ブレード24が接触しても先端部から解れることがなく、丈夫であるとともに、床面に対する接触面積が増えて床面に接触した際に床面を確実に捉えることができるので、床磨部材21による掃除効果すなわち床面の磨き効果を向上できる。
【００４１】
同時に、布ブレード24の先端部を折り返したことにより、保湿部材27から染み出した水、あるいはワックスなどを、先端部を折り返さない布ブレードと比較して長時間保持することが可能になり、布ブレード24による磨き効果を長時間に亘って持続できる。
【００４２】
また、布ブレード24の先端部に保湿部材27を収容した収容部25が位置することで、例えば布ブレードの先端部を折り返しただけの場合と比較して回転ブラシ13の回転モーメントが大きくなるため、回転ブラシ13の回転の勢いが増加し、床磨部材21による床面の磨き効果をより向上できる。
【００４３】
さらに、折り返し部26を回転ブラシ13の回転方向前側に折り返していることにより、例えば折り返し部を回転ブラシの回転方向後側に折り返す場合と比較して、床磨部材21が床面に接触した際に収容部25が保湿部材27とともに確実に潰れて保湿部材27から水、あるいはワックスなどがより多く染み出すので、より効果的に掃除を補助できる。
【００４４】
そして、保湿部材27を収容部25内に収容していることにより、保湿部材27から染み出した水、あるいはワックスなどが回転ブラシ13の回転時などに床面に飛び散ることを抑制でき、掃除性をより向上できる。
【００４５】
また、保湿部材27に水、あるいはワックスなどを保持しているため、例えば布ブレードに水、あるいはワックスなどを含浸させて床面を磨き掃除する場合と比較して、掃除補助効果を長時間持続できる。
【００４６】
しかも、布ブレード24の先端部のみを折り返し部26とすることで、例えば布ブレード全体をブラシ取付部23までＵ字状に折り返す従来の場合と比較して布ブレード24に使用する布の長さを短くできるので、材料コストを低減して製造コストをも低減できる。
【００４７】
なお、上記一実施の形態において、床ブラシ９に床面の種類を検知する床面検知手段などを設け、この床面検知手段で検知した床面の種類に応じて回転ブラシ13を回転、あるいは停止させる制御をしてもよい。
【００４８】
また、折り返し部26は、回転ブラシ13の回転方向後側に折り返してもよい。この場合には、固着部26aの近傍が床面に接触しないので、この固着部26aの解れを防止できる。
【００４９】
さらに、保湿部材27は、収容部25全体に水、あるいはワックスなどを染み出させることができれば、収容部25内の少なくとも一部に設けることも可能である。
【００５０】
そして、ブラシ台14の係合凹部15は、ブラシ台14に取り付けられる床磨部材21の個数に合わせて、少なくとも一つ以上あればよい。
【００５１】
また、ブラシ台14の係合凹部15に、床磨部材21と、収容部に保湿部材を収容しない床磨部材とを、交互に取り付ける構成なども可能である。この場合には、これら床磨部材により、床面の磨き掃除と拭き掃除とを同時にでき、掃除効率をより向上できる。
【００５２】
さらに、保湿部材27に水、あるいはワックスなどを必要に応じて補給可能なタンクなどを回転ブラシ13、あるいは床ブラシ９などに設ける構成も可能である。この場合には、保湿部材27による掃除補助効果をより長期間に亘って持続できる。
【００５３】
そして、電気掃除機は、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【図面の簡単な説明】
【００５４】
【図１】本発明の一実施の形態の電気掃除機の吸込口体を示す縦断面図である。
【図２】同上電気掃除機の吸込口体の回転清掃体を示す縦断面図である。
【図３】同上回転清掃体を示す斜視図である。
【図４】同上電気掃除機の吸込口体を示す平面図である。
【図５】同上電気掃除機の吸込口体を備えた電気掃除機を示す斜視図である。
【符号の説明】
【００５５】
９    電気掃除機の吸込口体としての床ブラシ
11    ケース体
13    回転清掃体としての回転ブラシ
14    取付部材としてのブラシ台
24    清掃部材としての布ブレード
25    収容部
27    清掃補助部材としての保湿部材
【図１】
2005066033.tif 000003
【図２】
2005066033.tif 000004
【図３】
2005066033.tif 000005
【図４】
2005066033.tif 000006
【図５】
2005066033.tif 000007